(57)【要約】【課題】  見栄えのよいカラー画像を表示できるカラー画像表示装置および電子機器を提供する。【解決手段】  複数のサブ画素からなる単位画素１０を有するカラー画像表示装置１０１であって、単位画素１０の構成要素であって第１の色を表示する第１サブ画素１１と、単位画素１０の構成要素であって第２の色を表示する第２サブ画素と、単位画素の構成要素であって第３の色を表示する第３サブ画素１３と、第２サブ画素１２ａと同一もしくはピーク波長が比較的近い第４サブ画素１２ｂとを有し、第２サブ画素１２ａと第４サブ画素１２ｂとは、単位画素１０がなす形状における対角に配置されている。【選択図】        図１
2007114321.tif 000002
【特許請求の範囲】
【請求項１】
４つのサブ画素からなる単位画素を有するカラー画像表示装置であって、
前記４つのサブ画素は、波長に応じて色相が変化する可視光領域のうち、赤系の色相の着色領域を有する第１サブ画素と、青から黄までの色相の中で選択された色相の着色領域からなる第２サブ画素と、青系の色相の着色領域を有する第３サブ画素と、青から黄までの色相の中で選択された色相の着色領域からなる第４サブ画素と、を有し、
前記第２サブ画素と第４サブ画素とは、前記単位画素がなす形状における対角に配置されていることを特徴とするカラー画像表示装置。
【請求項２】
４つのサブ画素からなる単位画素を有するカラー画像表示装置であって、
前記４つのサブ画素は、波長に応じて色相が変化する可視光領域のうち透過した光の波長のピークが、６００ｎｍ以上にある第１サブ画素と、４８５−５３５ｎｍにある第２サブ画素と、５００−５９０ｎｍにある第３サブ画素と、４１５−５００ｎｍにある第４サブ画素と、を有し、
前記第２サブ画素と第４サブ画素とは、前記単位画素がなす形状における対角に配置されていることを特徴とするカラー画像表示装置。
【請求項３】
前記第２サブ画素及び第４サブ画素は、同一の色を表示するものであることを特徴とする請求項１または２に記載のカラー画像表示装置。
【請求項４】
前記第２サブ画素と第４サブ画素とは、異なる色で表示するものであることを特徴とする請求項１または２に記載のカラー画像表示装置。
【請求項５】
前記単位画素をなす４個のサブ画素は、１つの点を囲むように配置され、田の字をなしていることを特徴とする請求項１から４のいずれか一項に記載のカラー画像表示装置。
【請求項６】
前記単位画素をなす４個のサブ画素のそれぞれは、矩形状であり、相互に同一又はほぼ同一の形状であることを特徴とする請求項１から５のいずれか一項に記載のカラー画像表示装置。
【請求項７】
前記第２サブ画素及び第４サブ画素は、矩形状について少なくとも１つの角を切り欠いた切り欠き部を有する形状であり、
前記第２サブ画素と第４サブ画素との間の近傍に、前記切り欠き部が存在するように、配置されていることを特徴とする請求項１から６のいずれか一項に記載のカラー画像表示装置。
【請求項８】
前記第２サブ画素における切り欠き部の位置と、前記第４サブ画素における切り欠き部の位置とは、異なることを特徴とする請求項７に記載のカラー画像表示装置。
【請求項９】
前記第２サブ画素の切り欠き部及び第４サブ画素の切り欠き部は、前記田の字における中央近傍には配置されていないことを特徴とする請求項７または８に記載のカラー画像表示装置。
【請求項１０】
前記第２サブ画素及び第４サブ画素において、前記田の字における中央近傍に配置されている前記切り欠き部は、該田の字における外縁近傍に配置されている前記切り欠き部と比べて、小さい形状の切り欠きであることを特徴とする請求項７または８に記載のカラー画像表示装置。
【請求項１１】
請求項１から１０のいずれか一項に記載のカラー画像表示装置を有してなることを特徴とする電子機器。
【発明の詳細な説明】
【技術分野】
【０００１】
本発明は、カラー画像表示装置および電子機器に関するものである。
【背景技術】
【０００２】
カラー画像を表現するカラー画像表示装置としては、赤（Ｒ：Red），緑（Ｇ：Green），青（Ｂ：Blue）の三原色を合成してさまざまな色を作り出すものがある。また、従来においては、ＲＧＢに無彩色（白色）を加えた４色によってカラー画像を表示するものがある（例えば、特許文献１参照）。また、従来においては、画素（単位画素）の構成要素となるサブ画素の平面形状が、矩形状における１つの対角線上の２つの角部を切り欠いた形状となっているカラー液晶表示装置がある（例えば、特許文献２参照）。
【特許文献１】特開２００２−６３０３号公報
【特許文献２】特開平１０−７８５９０号公報
【発明の開示】
【発明が解決しようとする課題】
【０００３】
しかしながら、上記特許文献１に記載されている表示装置では、それぞれ表示色の異なる４つのサブ画素で単位画素を構成しているが、画面の縦方向に隣り合う単位画素同士において各色のサブ画素の配置が画面の横方向に入れ替わっている。そこで、特許文献１記載の表示装置は、例えばＲＧＢ３原色のうちの１色で画面縦方向に直線を表示しようとすると、その輪郭が凸凹してしまう。したがって、特許文献１記載の表示装置は、表示画像の見栄えを阻害する要因があるという問題点がある。
【０００４】
また、上記特許文献２記載の表示装置では、画面の右上から左下に向かう対角線上に同一色のサブ画素（画素）が配置され、その対角線上に各サブ画素の切り欠き部が配置されている。そこで、特許文献２記載の表示装置は、同一色のサブ画素配置を見ると方向性が等方的ではなく、画像表示の際に上記サブ画素配置に応じた斜め方向にスジ（縞）が認識されることがある。すなわち、全ての色のサブ画素について、画面の右上から左下に向かう方向性があり、この方向が切り欠き部の存在によっても打ち消されない可能性がある。したがって、特許文献２記載の表示装置でも、表示画像の見栄えを阻害する可能性があるという問題点がある。
【０００５】
本発明は、上記事情に鑑みてなされたもので、見栄えのよいカラー画像を表示できるカラー画像表示装置および電子機器を提供することを目的とする。
また、本発明は、色再現範囲が広く、且つ、画面の縦方向、横方向及び斜め方向に同一色のサブ画素（画素）が連なるように配置されることを回避でき、高品位なカラー画像を表示できるカラー画像表示装置および電子機器を提供することを目的とする。
【課題を解決するための手段】
【０００６】
上記目的を達成するために、本発明のカラー画像表示装置は、４つのサブ画素からなる単位画素を有するカラー画像表示装置であって、前記４つのサブ画素は、波長に応じて色相が変化する可視光領域のうち、赤系の色相の着色領域を有する第１サブ画素と、青から黄までの色相の中で選択された色相の着色領域からなる第２サブ画素と、青系の色相の着色領域を有する第３サブ画素と、青から黄までの色相の中で選択された色相の着色領域からなる第４サブ画素と、を有し、前記第２サブ画素と第４サブ画素とは、前記単位画素がなす形状における対角に配置されていることを特徴とする。
もしくは、４つのサブ画素からなる単位画素を有するカラー画像表示装置であって、前記４つのサブ画素は、波長に応じて色相が変化する可視光領域のうち透過した光の波長のピークが、６００ｎｍ以上にある第１サブ画素と、４８５−５３５ｎｍにある第２サブ画素と、５００−５９０ｎｍにある第３サブ画素と、４１５−５００ｎｍにある第４サブ画素と、を有し、前記第２サブ画素と第４サブ画素とは、前記単位画素がなす形状における対角に配置されていることを特徴とする。
【０００７】
本発明によれば、４サブ画素の２つのサブ画素は、他の２つのサブ画素で表している色と他の色との混合比（例えば緑の光と青の光との光量の比、又は及び、緑の光と赤の光との光量の比）の範囲を広げることができ、より広い色表現をすることができる。したがって、本発明のカラー画像表示装置は、３つのサブ画素で３原色を表す場合よりも色空間を広げることができて、色再現性を高めることができる。さらに本発明によれば、同じ色の２個のサブ画素が単位画素のなす形状（例えば矩形状）における対角に配置した場合には、同じ色のサブ画素が画面の縦方向及び横方向に連続することを回避できる。そこで、本発明のカラー画像表示装置は、見栄えの良いカラー画像を表示することができる。
【０００８】
また、本発明のカラー画像表示装置は、前記単位画素が４個のサブ画素で構成されており、前記単位画素をなす４個のサブ画素は、１つの点を囲むように配置され、田の字をなしていることが好ましい。前記単位画素をなす４個のサブ画素のそれぞれは、矩形状であり、相互に同一又はほぼ同一の形状であることが好ましい。
本発明によれば、田の字のように配置された４個のサブ画素で単位画素を構成しているので、各単位画素を簡便にかつ精密に規則的に配置でき、開口率を簡便に向上させることができる。さらに本発明によれば、同じ色の２個のサブ画素が単位画素のなす矩形状における対角に配置されているので、同じ色のサブ画素が画面の縦方向及び横方向に連続することを回避できる。そこで、本発明のカラー画像表示装置は、より見栄えの良い画像を表示することができる。
【０００９】
また、本発明のカラー画像表示装置は、前記第２サブ画素及び第４サブ画素が、矩形状について少なくとも１つの角を切り欠いた切り欠き部を有する形状であり、前記第２サブ画素と第４サブ画素との間の近傍に、前記切り欠き部が存在するように、配置されていることが好ましい。
本発明によれば、単位画素がなす矩形状の対角線上に隣り合うように配置された第２サブ画素と第４サブ画素との間に、前記切り欠き部が存在する。そこで、本発明は、同じ色（又は似ている色）のサブ画素が画面の斜め方向に連続することを、切り欠き部によって回避することができる。そこで、本発明のカラー画像表示装置は、斜め方向、縦方向及び横方向に、縞が生じることを回避でき、より見栄えの良い画像を表示することができる。
【００１０】
また、本発明のカラー画像表示装置は、前記第２サブ画素における切り欠き部の位置と、前記第４サブ画素における切り欠き部の位置とが、異なることが好ましい。
本発明によれば、例えば、画面における左上から右下への斜め方向について、同じ色（又は相関のある別の色）のサブ画素が近接することを、第２サブ画素の切り欠き部によって回避でき、画面における右上から左下への斜め方向について、同じ色（又は相関のある別の色）のサブ画素が近接することを、第４サブ画素の切り欠き部によって回避できる。したがって、本発明は、画面における左上から右下への斜め方向、及び、右上から左下への斜め方向の両方について、同じ色（又は相関のある別の色）のサブ画素が連続することによる画質阻害を、切り欠き部によって回避することができる。そこで、本発明のカラー画像表示装置は、斜め方向、縦方向及び横方向に、縞が生じることを、より高度に回避でき、より見栄えの良い画像を表示することができる。
【００１１】
また、本発明のカラー画像表示装置は、前記第２サブ画素の切り欠き部及び第４サブ画素の切り欠き部が、前記田の字における中央近傍には配置されていないことが好ましい。また、本発明のカラー画像表示装置は、前記第２サブ画素及び第４サブ画素において、前記田の字における中央近傍に配置されている前記切り欠き部が、該田の字における外縁近傍に配置されている前記切り欠き部と比べて、小さい形状の切り欠きであることとしてもよい。
本発明によれば、田の字に配置された４個のサブ画素からなる単位画素の中央近傍には切り欠き部が配置されていないので、その４個のサブ画素の視覚的な結合性を高めることができ、ある単位画素と隣りの単位画素との視覚的な結合性を低減することができる。ここで視覚的な結合性とは、あるサブ画素と隣りのサブ画素（又はある単位画素と隣りの単位画素）とがまとまって１つに見えるか、あるいは１つづつ別個に見えるかの度合いである。そして、別個に見える度合いが高いほど視覚的な結合性が低いとする。そこで、本発明は、単位画素毎の視覚的な結合性を高めて、隣り合う単位画素同士の視覚的な結合性を低減できるので、見栄えの良いカラー画像を表示することができる。
【００１２】
上記目的を達成するために、本発明の電子機器は、前記カラー画像表示装置を有してなることを特徴とする。
本発明によれば、見栄えの良いカラー画像を表示できる電子機器を提供することができる。
【発明を実施するための最良の形態】
【００１３】
以下、本発明の実施形態に係るカラー画像表示装置について図面を参照して説明する。（第１実施形態）
図１は、本発明の第１実施形態に係るカラー画像表示装置における画素を構成するサブ画素の形状及び配列を示す平面図である。本実施形態のカラー画像表示装置１０１は、４個のサブ画素からなる単位画素１０が縦横に碁盤の目のように配置されている。単位画素１０は、第１サブ画素１１と、第２サブ画素１２ａと、第３サブ画素１３と、第４サブ画素１２ｂとからなる４つのサブ画素が一まとまりの表示単位として構成されたものである。ここで、第２サブ画素１２ａは、単位画素１０がなす矩形における右上の角に配置され、第４サブ画素１２ｂは、その矩形における左下の角に配置されている。換言すれば、第２サブ画素１２ａと第４サブ画素１２ｂとは、単位画素１０がなす矩形における対角に配置されている。
【００１４】
例えば、第１サブ画素１１は、第１の色である赤（Ｒ）を表示する画素とする。第２サブ画素１２ａは、緑を表示する画素とする。第３サブ画素１３は、第３の色である青（Ｂ）を表示する画素とする。第４サブ画素１２ｂは、第２サブ画素１２ａと同じ緑（Ｇ）を表示する画素とする。第１から第４サブ画素１１，１２ａ，１２ｂ，１３の表示色は、上記の色にすることが好ましいが、この色に限定されるものではない。
【００１５】
すなわち、上述した４色のサブ画素は、波長に応じて色相が変化する可視光領域（３８０−７８０ｎｍ）のうち、第１サブ画素１１を赤系の色相の着色領域（Ｒ）とし、第３サブ画素１２ａを青系の色相の着色領域（Ｂ）とし、第２及び第４サブ画素を青から黄までの色相の中で選択された色相の着色領域（Ｇ）でもよい。ここで系と用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【００１６】
これら着色領域を具体的に述べれば、青系の色相の着色領域（Ｂ）は、青紫から青緑であり、より好ましくは藍から青である。赤系の色相の着色領域（Ｒ）は、橙から赤である。青から黄までの色相で選択される着色領域（Ｇ）は、青から橙であり、より好ましくは青緑から黄緑、もしくは緑である。
なお、色相の範囲が重なる部分があるが、（Ｂ）（Ｒ）（Ｇ）の各着色領域は、同じ色相を用いることはない。例えば、（Ｇ）が青緑であれば、（Ｂ）は青や藍等を用いる。これにより、従来の赤、緑、青の着色領域を用いたものよりも広範囲の色再現性を実現することができる。
【００１７】
また、着色領域について、色相で述べたが、着色領域を透過した光の波長で規定すれば、以下の範囲でもよい。青系の着色領域（Ｂ）は、該領域を透過した光の波長のピークが４１５−５００ｎｍにある着色領域、好ましくは、４３５−４８５ｎｍにある着色領域である。赤系の着色領域（Ｒ）は、該領域を透過した光の波長のピークが６００ｎｍ以上にある着色領域で、好ましくは、６０５ｎｍ以上にある着色領域である。青から黄までの色相で選択される着色領域（G）は、該領域を透過した光の波長のピークが４８５−５９０ｎｍにある着色領域で、好ましくは、４９５−５８５ｎｍにある着色領域である。さらに好ましくは、５００−５５５ｎｍである。
【００１８】
また、単位画素１０を構成する第１から第４サブ画素１１，１２ａ，１２ｂ，１３は、それぞれ矩形状となっており、相互にほぼ同一形状となっている。この矩形状は、正方形であることが好ましいが、長方形であってもよい。そして、単位画素１０を構成する４個のサブ画素（第１から第４サブ画素１１，１２ａ，１２ｂ，１３）は、それぞれ１つの点を囲むように配置され、田の字をなしている。
【００１９】
これらにより、本実施形態のカラー画像表示装置１０１によれば、単位画素１０において、ＲＧＢの３原色におけるＲ及びＢについては１個のサブ画素で表示し、Ｇについては２個のサブ画素で表示することができる。ここで、単位画素１０をなす４個のサブ画素（第１から第４サブ画素１１，１２ａ，１２ｂ，１３）のそれぞれについて、光量（又は輝度）を可変できる段階（輝度分解能）が同一であるとする。すると、２個のサブ画素で表示できるＧの輝度の可変範囲は、１個のサブ画素で表示されるＲ又はＢの輝度の可変範囲の２倍となる。そこで、本実施形態のカラー画像表示装置１０１によれば、３個のサブ画素でＲＧＢの３原色を表示する装置と比べて、単位画素１０毎に、ＧとＢとの混合比、及びＧとＲとの混合比の可変範囲を広げることができ、より広い色表現をすることができる。
【００２０】
さらに、本実施形態のカラー画像表示装置１０１によれば、ともに緑色の第２サブ画素１２ａと第３サブ画素１２ｂとが単位画素１０の対角に配置されている。したがって、本カラー画像表示装置１０１は、同じ色のサブ画素が画面の縦方向及び横方向に連続することを回避できる。そこで、本カラー画像表示装置１０１は、見栄えの良いカラー画像を表示することができる。また、カラー画像表示装置１０１では、ともに緑色の第２サブ画素１２ａ及び第３サブ画素１２ｂが画面の斜め方向に連続するように配置される。しかし、第２サブ画素１２ａ及び第３サブ画素１２ｂのみの輝度を制御することにより、画面の斜め方向に縞模様が生じることを簡便に回避することが可能である。これらにより、本実施形態のカラー画像表示装置１０１は、簡便な構成としながら、さらに見栄えの良いカラー画像を表示することができる。
【００２１】
（第２実施形態）
図２は、本発明の第２実施形態に係るカラー画像表示装置におけるサブ画素の形状及び配列を示す平面図である。本実施形態のカラー画像表示装置１０２は、第１実施形態のカラー画像表示装置１０１と同様に、４個のサブ画素から単位画素２０が縦横に碁盤の目のように配置されている。ただし、単位画素２０は、第１実施形態の単位画素１０とは異なり、構成要素の４つのサブ画素がそれぞれ異なる色を表示する。
具体的には、第１サブ画素（Ｒ）２１と、第２サブ画素（Ｇ１）２２と、第３サブ画素（Ｂ）２３と、１第４サブ画素（Ｇ２）２４とからなる４つのサブ画素が一まとまりの表示単位として構成されたものが、単位画素２０である。
【００２２】
例えば、第１サブ画素２１は、第１の色である赤（Ｒ）を表示する画素とする。第２サブ画素２２は、第２の色である緑（Ｇ）を表示する画素とする。第３サブ画素２３は、第３の色である青（Ｂ）を表示する画素とする。第４サブ画素２４は、第４の色であるシアン（Ｃ）を表示する画素とする。第１から第４サブ画素２１，２２，２３，２４の表示色は、上記の色にすることが好ましいが、この色に限定されるものではない。
【００２３】
すなわち、上述した４色のサブ画素は、青系の色相の着色領域（Ｂ）は、青紫から青緑であり、より好ましくは藍から青である。赤系の色相の着色領域（Ｒ）は、橙から赤である。青から黄までの色相で選択される一方の着色領域（Ｃ）は、青から緑であり、より好ましくは青緑から緑である。青から黄までの色相で選択される他方の着色領域（Ｇ）は、緑から橙であり、より好ましくは緑から黄である。もしくは緑から黄緑である。色相の範囲が重なる部分があるが、各着色領域は、同じ色相を用いることはない。例えば、青から黄までの色相で選択される２つの着色領域で緑系の色相を用いる場合は、他方は一方の緑に対して青系もしくは黄緑系の色相を用いる。これにより、従来の赤、緑、青の着色領域を用いたものよりも広範囲の色再現性を実現することができる。
【００２４】
また、着色領域について、色相で述べたが、着色領域を透過した光の波長で規定すれば、以下の範囲でもよい。青系の着色領域（Ｂ）は、該領域を透過した光の波長のピークが４１５−５００ｎｍにある着色領域、好ましくは、４３５−４８５ｎｍにある着色領域である。赤系の着色領域（Ｒ）は、該領域を透過した光の波長のピークが６００ｎｍ以上にある着色領域で、好ましくは、６０５ｎｍ以上にある着色領域である。青から黄までの色相で選択される一方の着色領域（Ｃ）は、該領域を透過した光の波長のピークが４８５−５３５ｎｍにある着色領域で、好ましくは、４９５−５２０ｎｍにある着色領域である。青から黄までの色相で選択される他方の着色領域（Ｇ）は、該領域を透過した光の波長のピークが５００−５９０ｎｍにある着色領域、好ましくは５１０−５８５ｎｍにある着色領域、もしくは５３０−５６５ｎｍにある着色領域である。
【００２５】
また、着色領域について、ｘ、ｙ色度図で規定すれば、青系の着色領域（Ｂ）は、ｘ≦０.１５１、ｙ≦０.０５６にある着色領域であり、好ましくは、０.１３４≦ｘ≦０.１５１、０.０３４≦ｙ≦０.０５６にある着色領域である。赤系の着色領域（Ｒ）は、０.６４３≦ｘ、ｙ≦０.３３３にある着色領域であり、好ましくは、０.６４３≦ｘ≦０.６９０、０.２９９≦ｙ≦０.３３３にある着色領域である。青から黄までの色相で選択される一方の着色領域（Ｃ）は、ｘ≦０.１６４、０.４５３≦ｙにある着色領域であり、好ましくは、０.０９８≦ｘ≦０.１６４、０.４５３≦ｙ≦０.７５９にある着色領域である。青から黄までの色相で選択される他方の着色領域（Ｇ）は、０.２５７≦ｘ、０.６０６≦ｙにある着色領域であり、好ましくは、０.２５７≦ｘ≦０.３５７、０.６０６≦ｙ≦０.６７０にある着色領域である。
【００２６】
また、４色の着色領域の構成の例としては、色相が、赤、青、緑、シアン（青緑）の着色領域の他に、色相が、赤、青、緑、黄の着色領域や、色相が、赤、青、深緑、黄の着色領域、色相が、赤、青、エメラルド、黄の着色領域、色相が、赤、青、深緑、黄緑の着色領域、色相が、赤、青緑、深緑、黄緑の着色領域等の組み合わせがある。  さらに具体的には、例えば、光の波長特性を分光感度曲線として表したときに、第１サブ画素（赤）２１のピーク波長を６４０ｎｍ、第２サブ画素（緑）２２のピーク波長を５５０ｎｍ、第３サブ画素（青）２３のピーク波長を４７０ｎｍ、第４サブ画素（シアン）のピーク波長を５００ｎｍとしてもよい。すると、第２サブ画素２２と第４サブ画素２４とのピーク波長の間隔は、５０ｎｍとなる。一方、第２サブ画素と第１サブ画素とのピーク波長の間隔である９０ｎｍとなり、第２サブ画素と第３サブ画素とのピーク波長の間隔である８０ｎｍとなる。このように、第２サブ画素２２（Ｇ１）と第４サブ画素２４（Ｇ２）とは、ピーク波長が近く、互いに相関のある別の色を表示する。また、第２サブ画素２２と第４サブ画素２４とは、単位画素２０がなす矩形状における対角に配置されている。
【００２７】
また、単位画素２０を構成する第１から第４サブ画素２１，２２，２３，２４は、それぞれ矩形状となっており、相互にほぼ同一形状となっている。この矩形状は、例えば正方形であることが好ましいが、長方形であってもよい。そして、単位画素２０を構成する４個のサブ画素（第１から第４サブ画素２１，２２，２３，２４）は、それぞれ１つの点を囲むように配置され、田の字をなしている。
【００２８】
これらにより、本実施形態のカラー画像表示装置１０２によれば、ＲＧＢＣの４色のサブ画素で単位画素２０を構成するので、３色のサブ画素で単位画素を構成する場合よりも、色空間を広げることができる。そこで、本実施形態によれば、色再現範囲を広げることができ、第１実施形態よりもさらに高画質なカラー画像表示装置を提供することができる。
【００２９】
さらに本実施形態のカラー画像表示装置１０２によれば、単位画素２０における対角に配置された第２サブ画素２２と第４サブ画素２４とが相関のある色であって異なる色を表示するので、画面の縦方向及び横方向について同じように認識される色のサブ画素が連続しない。したがって、カラー画像表示装置１０２は、画面の縦方向及び横方向に縞模様が生じることを高度に回避できる。さらに、カラー画像表示装置１０２は、斜め方向についても、同じ色のサブ画素が連続しなので、画面の斜め方向についても、縞模様が生じることを低減でき、色再現範囲が広く見栄えの良い画像を表示することができる。
【００３０】
（第３実施形態）
図３は、本発明の第３実施形態に係るカラー画像表示装置におけるサブ画素の形状及び配列を示す平面図である。本実施形態と第１実施形態との相違点は、本実施形態の単位画素３０を構成する４個のサブ画素における第２サブ画素３２ａと第４サブ画素３２ｂがそれぞれ切り欠き部Ｋ１ａ，Ｋ１ｂ，Ｋ２ａ，Ｋ２ｂを有した形状となっている点である。その他の構成については、図３に示す本実施形態のカラー画像表示装置１０３は図１に示す第１実施形態のカラー画像表示装置１０１と同一である。換言すれば、本実施形態のカラー画像表示装置１０３は、第１実施形態のカラー画像表示装置１０１における第２サブ画素１２ａ及び第４サブ画素１２ｂの形状について、切り欠き部Ｋ１ａ，Ｋ１ｂ，Ｋ２ａ，Ｋ２ｂを設けたものである。
【００３１】
次に、より具体的に本実施形態について説明する。本実施形態のカラー画像表示装置１０３は、４個のサブ画素からなる単位画素３０が縦横に碁盤の目のように配置されている。単位画素３０は、第１サブ画素３１と、第２サブ画素３２ａと、第３サブ画素３３と、第４サブ画素３２ｂとからなる４つのサブ画素が一まとまりの表示単位として構成されたものである。ここで、第２サブ画素３２ａは、単位画素３０がなす矩形における右上の角に配置され、第４サブ画素３２ｂは、画素の矩形における左下の角に配置されている。換言すれば、第２サブ画素３２ａと第４サブ画素３２ｂとは、単位画素３０がなす矩形における対角に配置されている。
【００３２】
例えば、第１サブ画素３１は、第１の色である赤（Ｒ）を表示する画素とする。第２サブ画素３２ａは、第２の色である緑（Ｇ）を表示する画素とする。第３サブ画素３３は、第３の色である青（Ｂ）を表示する画素とする。第４サブ画素３２ｂは、第２サブ画素３１ａと同じ第２の色である緑（Ｇ）を表示する画素とする。第１から第４サブ画素３１，３２ａ，３２ｂ，３３の表示色は、上記の色にすることが好ましいが、この色に限定されるものではない。
【００３３】
次に、本実施形態の特徴である各サブ画素の形状について説明する。第１サブ画素３１及び第３サブ画素３３は、それぞれ矩形状となっており、相互にほぼ同一形状となっている。この矩形状は、正方形であることが好ましいが、長方形であってもよい。
【００３４】
第２サブ画素３２ａは、矩形状について、左上の角と右下の角（対角の角）を切り欠いた形状となっている。すなわち、第２サブ画素３２ａは、矩形状についての左上部位に切り欠き部Ｋ１ａを有し、その対角である右下部位に切り欠き部Ｋ１ｂを有している。第４サブ画素３２ｂは、矩形状について、右上の角と左下の角（対角の角）を切り欠いた形状となっている。すなわち、第４サブ画素３２ｂは、矩形状についての右上部位に切り欠き部Ｋ２ａを有し、その対角である左下部位に切り欠き部Ｋ２ｂを有している。
【００３５】
このように、第２サブ画素３２ａの切り欠き部Ｋ１ａ，Ｋ１ｂと、第２サブ画素３２ｂの切り欠き部Ｋ２ａ，Ｋ２ｂとは、そのサブ画素形状の中心を通る水平線を基準として、対象となる位置（逆の位置）に配置されている。そして、同一色の副第１サブ画素３２ａと副第２サブ画素３２ｂとの間に、切り欠き部Ｋ２ｂ（又は切り欠き部Ｋ１ａ，Ｋ１ｂ，Ｋ２ａ）が存在する配置となっている。また、単位画素３０を構成する４個のサブ画素（第１から第４サブ画素３１，３２ａ，３２ｂ，３３）は、それぞれ１つの点を囲むように配置され、田の字をなしている。    
【００３６】
これらにより、本実施形態のカラー画像表示装置１０３によれば、単位画素３０がなす矩形状の対角線上に隣り合うように配置された第２サブ画素３２ａと第４サブ画素３２ｂとの間に、１つの切り欠き部Ｋ１ａ，Ｋ１ｂ，Ｋ１ｂ，Ｋ２ａが配置されている。そこで本実施形態のカラー画像表示装置１０３は、同じ色のサブ画素（第２サブ画素３２ａと第４サブ画素３２ｂ）が画面の左上から右下方向に連続することを、切り欠き部Ｋ１ａ，Ｋ１ｂで防ぐことができ、また同じ色のサブ画素が画面の右上から左下方向に連続することを、切り欠き部Ｋ２ａ，Ｋ２ｂによって防ぐことができる。そこで、本実施形態のカラー画像表示装置１０３は、斜め方向、縦方向及び横方向に、縞が生じることを回避でき、より見栄えの良い画像を表示することができる。
【００３７】
図４は、本発明の第３実施形態における他の例を示す平面図である。本例に係るカラー画像表示装置１０４は、図３に示す第２サブ画素３２ａ及び第４サブ画素３２ｂの形状を図２に示す第２実施形態のカラー画像表示装置１０４の第２サブ画素Ｇ１及び第４サブ画素Ｇ２に適用したものである。
【００３８】
すなわち、カラー画像表示装置１０４における単位画素４０は、図３における単位画素３０に対応する。単位画素４０は、例えば赤（Ｒ）を表示する第１サブ画素４１、緑（Ｇ１）を表示する第２サブ画素４２、青（Ｂ）を表示する第３サブ画素４３及びシアン（Ｇ２）を表示する第４サブ画素４４で構成されている。ここで、第１サブ画素４１の形状は図３の第１サブ画素３１と同じである。第２サブ画素４２の形状は、図３の第２サブ画素３２ａと同じであり、切り欠き部Ｋ１ａ，Ｋ１ｂを有している。第３サブ画素４３の形状は、図３の第３サブ画素３３と同じである。第４サブ画素４４の形状は、図３の第４サブ画素３２ｂと同じであり、切り欠き部Ｋ２ａ，Ｋ２ｂを有している。
【００３９】
これらにより、本実施形態のカラー画像表示装置１０４によれば、単位画素４０がなす矩形状の対角線上に隣り合うように配置されて互いに相関のある別の色を表示する第２サブ画素４２と第４サブ画素４４との間に、１つの切り欠き部Ｋ１ａ，Ｋ１ｂ，Ｋ１ｂ，Ｋ２ａが配置されている。そこで、本実施形態のカラー画像表示装置１０４は、分光感度曲線においてピーク波長が比較的近い２つの色のサブ画素（第２サブ画素Ｇ１と第４サブ画素Ｇ２）が画面の左上から右下方向に連続することを、切り欠き部Ｋ１ａ，Ｋ１ｂで防ぐことができ、また上記ピーク波長が比較的近い２つの色のサブ画素が画面の右上から左下方向に連続することを、切り欠き部Ｋ２ａ，Ｋ２ｂによって防ぐことができる。そこで、本実施形態のカラー画像表示装置１０４は、色再現範囲を広げることができ、且つ、斜め方向、縦方向及び横方向に縞が生じることを高度に回避でき、より見栄えの良い画像を表示することができる。
【００４０】
図５は、本実施形態における切り欠き部の他の形状を示す平面図である。図５（ａ）に示すサブ画素５１及び図５（ｂ）に示すサブ画素５２は、図３における第４サブ画素３２ｂ又は図４における第４サブ画素４４に対応するものである。すなわち、サブ画素５１，５２は、第４サブ画素３２ｂ及び第４サブ画素４４における切り欠き部の形状についての変形例である。
サブ画素５１は、切り欠き部の第１変形例である。そして、サブ画素５１は、矩形状における対角の角部に、切り欠き部Ｋ３ａ，Ｋ３ｂを有した形状となっている。この切り欠き部Ｋ３ａ，Ｋ３ｂは、その輪郭が曲線で構成されている。この曲線は、サブ画素５１の中心から外側に凸形状となっている。
【００４１】
サブ画素５２は、切り欠き部の第２変形例である。そして、サブ画素５２は、矩形状における対角の角部に、切り欠き部Ｋ４ａ，Ｋ４ｂを有した形状となっている。切り欠き部Ｋ４ａ，Ｋ４ｂはその輪郭が直線で構成されているが、切り欠き部Ｋ４ａの方が切り欠き部Ｋ４ｂよりも大きく切り欠かれた形状となっている。ここで、切り欠き部Ｋ４ｂの方が切り欠き部Ｋ４ａよりも大きく切り欠かれた形状としてもよい。
【００４２】
なお、図５に示す切り欠き部の変形例は、サブ画素５１，５２において切り欠き部の位置を変更することで、図３における第２サブ画素３２ａ及び図４における第２サブ画素４２に適用することもできる。また、従来においてもカラーフィルタなどの画素の形状を矩形状でなく角部を切り欠いた形状にした発明が提案されているが、従来の技術はエッチングなどのプロセスによる形状のばらつき等を防止するためのものである。そこで、従来の切り欠いた形状は、特定の色のサブ画素における角部を切り欠くなどした本実施形態の切り欠き部と同一の作用・効果を奏するものではない。
【００４３】
また、図３及び図４において、各サブ画素間の隙間がなすものであって画面の横方向に連なる隙間のそれぞれには、例えば走査線を配置してもよい。この走査線は、各サブ画素ごとに設けられた駆動素子（例えばＴＦＴ：Thin Film Transistor）のうち同一行のＴＦＴのゲート電極に接続されているものとしてもよい。また、図３及び図４において、各サブ画素間の隙間がなすものであって画面の縦方向に連なる隙間のそれぞれには、例えば信号線を配置してもよい。この信号線は、各サブ画素ごとに設けられたＴＦＴのうちで同一列のＴＦＴのソース（もしくはドレイン）が接続されているものとしてもよい。
【００４４】
また、図３及び図４において、切り欠き部Ｋ１ａ，Ｋ１ｂ，Ｋ２ａ，Ｋ２ｂの輪郭に対向する部位（切り欠きを設けた角部の領域）には、各サブ画素を駆動するＴＦＴ、又は保持容量の電極などを配置してもよい。これによって、切り欠きを設けた角部の領域を含む画面の全ての領域を有効活用することができ、例えば画素電極の形状とカラーフィルタの画素の形状とを近似させることもでき、全体としての開口率を高めることができる。
【００４５】
なお、上記の場合、切り欠きを設けた角部の領域に設けられるＴＦＴや保持容量を構成する電極は、当該切り欠き部に対応するサブ画素の画素電極のためのＴＦＴや保持容量電極に限定されず、当該サブ画素に隣接するサブ画素の画素電極のためのＴＦＴや保持容量電極であってもよい。例えば、図４において、第２サブ画素４２の切り欠き部Ｋ１ａの領域に形成されたＴＦＴ及び保持容量電極は、第１サブ画素４１を駆動するためのＴＦＴ及び保持容量電極として、第２サブ画素４２の切り欠き部Ｋ１ｂの領域に形成されたＴＦＴ及び保持容量電極は、第２サブ画素４２を駆動するためのＴＦＴ及び保持容量電極としてもよい。
【００４６】
（第４実施形態）
図６は、本発明の第４実施形態に係るカラー画像表示装置におけるサブ画素形状及びサブ画素配列を示す平面図である。図６（ａ）は、本実施形態の第１例に係るカラー画像表示装置の単位画素６０を示している。本実施形態の単位画素６０と図３又は図４の単位画素３０，４０との相違点は、単位画素６０を構成する４つのサブ画素６１，６２，６３，６４がなす田の字形状における中央近傍には切り欠き部が配置されていない点である。
【００４７】
具体的には単位画素６０において、サブ画素６１は、図３における第１サブ画素３１及び図４における第１サブ画素４１に対応するものであり、第１サブ画素３１及び第１サブ画素４１と形状が同一である。サブ画素６２は、図３における第２サブ画素３２ａ及び図４における第２サブ画素４２に対応するものであり、第２サブ画素３２ａ及び第２サブ画素４２と形状が同一である。したがって、サブ画素６２は、対角に配置された２つの切り欠き部Ｋ５ａ，Ｋ５ｂを有している。サブ画素６３は、図３における第３サブ画素３３及び図４における第３サブ画素４３に対応するものであり、第３サブ画素３３及び第３サブ画素４３と形状が同一である。
【００４８】
サブ画素６４は、図３における第４サブ画素３２ｂ及び図４における第４サブ画素４４に対応するものであるが、第４サブ画素３２ｂ及び第４サブ画素４４とは形状が異なる。すなわち、第４サブ画素３２ｂ及び第４サブ画素４４は２つの切り欠き部Ｋ２ａ，Ｋ２ｂを有するが、本実施形態のサブ画素６４は１つの切り欠き部Ｋ６のみを有する。換言すれば、本実施形態の単位画素６０は、第３実施形態の単位画素３０，４０において切り欠き部Ｋ２ｂを設けない構成となっている。また、第２サブ画素６２と第４サブ画素６４とは、表示色が同一（例えば緑）でもよいし、表示色が相関ある異なる色（例えば緑とシアン）でもよい。
【００４９】
これらにより、本実施形態によれば、田の字に配置された４個のサブ画素６１，６２，６３，６４からなる単位画素６０の中央近傍には切り欠き部が配置されていないので、その４個のサブ画素の視覚的な結合性を高めることができ、ある単位画素６０と隣りの単位画素６０との視覚的な結合性を低減することができる。換言すれば、単位画素６０において１つのまとまりとして表示したいときは各サブ画素６１，６２，６３，６４の視覚的な結合性を高めることができ、ある単位画素６０と隣りの単位画素６０との視覚的な結合性は小さくすることができる。したがって本実施形態のカラー画像表示装置は、見栄えの良いカラー画像を表示することができる。
【００５０】
また、図６（ａ）では、サブ画素６４において切り欠き部Ｋ６の対角には全く切り欠き部を設けない構成としたが、サブ画素６４において切り欠き部Ｋ６の対角に、切り欠き部Ｋ６よりも小さい切り欠き部を設ける構成としてもよい。このような構成としても、単位画素６０において１つのまとまりとして表示したいときは各サブ画素６１，６２，６３，６４の視覚的な結合性を高めることができ、ある単位画素６０と隣りの単位画素６０との視覚的な結合性は小さくすることができる。
【００５１】
図６（ｂ）は、本実施形態の第２例に係るカラー画像表示装置の単位画素７０を示している。本実施形態の単位画素７０と図３又は図４の単位画素３０，４０との相違点は、単位画素７０を構成する４つのサブ画素７１，７２，７３，７４のそれぞれが切り欠き部を有している点である。
【００５２】
具体的には単位画素７０において、サブ画素７１は、図３における第１サブ画素３１及び図４における第１サブ画素４１に対応するものであるが、第１サブ画素３１及び第１サブ画素４１とは形状が異なる。すなわち、第１サブ画素３１及び第１サブ画素４１は切り欠き部を持たないが、サブ画素７１は２つの切り欠き部Ｋ９ａ，Ｋ９ｂを有する。サブ画素７２は、図３における第２サブ画素３２ａ及び図４における第２サブ画素４２に対応するものであり、第２サブ画素３２ａ及び第２サブ画素４２と形状が同一である。そしてサブ画素７２は、２つの切り欠き部Ｋ７ａ，Ｋ７ｂを有する。サブ画素７３は、図３における第３サブ画素３３及び図４における第３サブ画素４３に対応するものであるが、第３サブ画素３３及び第３サブ画素４３とは形状が異なる。すなわち、第３サブ画素３３及び第３サブ画素４３は切り欠き部を持たないが、サブ画素７３は２つの切り欠き部Ｋ１０ａ，Ｋ１０ｂを有する。サブ画素７４は、図３における第４サブ画素３２ｂ及び図４における第４サブ画素４４に対応するものであり、第４サブ画素３２ｂ及び第４サブ画素４４と形状が同一である。そしてサブ画素７４は、２つの切り欠き部Ｋ８ａ，Ｋ８ｂを有する。
【００５３】
さらに、サブ画素７１における２つの切り欠き部Ｋ９ａ，Ｋ９ｂは、サブ画素７１の対角線上に配置されている。ただし、その切り欠き部Ｋ９ａ，Ｋ９ｂが配置されている対角線は、サブ画素７３において切り欠き部Ｋ１０ａ，Ｋ１０ｂが配置されている対角線とは１８０度異なる向きとなっている。また、第２サブ画素７２と第４サブ画素７４とは、表示色が同一（例えば緑）でもよいし、表示色が相関ある異なる色（例えば緑とシアン）でもよい。
【００５４】
これらのように、本実施形態では、単位画素７０において田の字に配置された４個のサブ画素７１，７２，７３，７４がそれぞれ２つづつ切り欠き部を有する。ただし、単位画素７０において対角に配置されたサブ画素７１とサブ画素７３、及びサブ画素７２とサブ画素７４とを比較すると、各サブ画素において切り欠き部が設けられた位置が異なる。すなわち、サブ画素７１，７４ではそのサブ画素の右上の角部と左下の角部とに切り欠きが設けられているが、サブ画素７２，７３ではそのサブ画素の左上の角部と右下の角部とに切り欠きが設けられている。換言すれば、図６（ｂ）に示すように、画面の横方向に連続するサブ画素７１，７２を見ると、切り欠き部が存在する（又はない）角部が連続するのは最大２つ（Ｋ９ｂ，Ｋ７ａ）であり、画面の縦方向に連続するサブ画素７１，７４（又はサブ画素７２，７３）を見ると、切り欠き部が存在する角部が連続せず、画面の斜め方向に連続するサブ画素７１，７３（又はサブ画素７２，７４）を見ると、切り欠き部が存在する角部が連続しない。これらにより、本実施形態のカラー画像表示装置によれば、画面の縦、横及び斜め方向に縞が生じることなどを回避でき、見栄えの良いカラー画像を表示することができる。
【００５５】
以上説明した、各実施形態の４つのサブ画素の着色領域は、液晶表示装置の場合、サブ画素に透過領域と反射領域を備えた場合、透過領域及び反射領域も適用することができるものである。透過領域及び反射領域の各４つのサブ画素の着色領域は、各実施形態で述べた色と同様に適用される。
【００５６】
また、液晶装置のバックライトとして、赤、緑、青の光源としてLED、蛍光管、有機ELを用いても良い。または白色光源を用いても良い。なお、白色光源は青の発光体とYAG蛍光体により生成される白色光源でもよい。赤、緑、青光源としては、青は発光する光の波長のピークが４３５ｎｍ−４８５ｎｍにあるもの、緑は、発光する光の波長のピークが５２０ｎｍ−５４５ｎｍにあるもの、赤は発光する光の波長のピークが６１０ｎｍ−６５０ｎｍにあるものが好ましい。そして、赤、緑、青の光源の波長によって、上記表示画素を適切に選定すれば、白色ならびにより広範囲の色再現性を得ることができる。
また、赤、緑、青の光源の他に、発光する光の波長が例えば、４５０ｎｍと５６５ｎｍにピークがくるような、複数のピークを持つ光源を用いても良い。
【００５７】
（本実施形態の効果について）
図７は、従来のカラー画像表示装置におけるストライプ型のサブ画素形状及びサブ画素配列を示す平面図である。図８は、従来のカラー画像表示装置におけるデルタ型のサブ画素形状及びサブ画素配列を示す平面図である。ストライプ型では、同一色のサブ画素が縦方向（又は横方向）に連続している。デルタ型では、同一色のサブ画素が斜め方向に連続している。そこで、ストライプ型及びデルタ型のカラー画像表示装置では、同一色のサブ画素が並んでいる方向に沿って縞模様が見えてしまうという不都合があった。
【００５８】
上記第１から第４実施形態に係るカラー画像表示装置によれば、同一色のサブ画素が連続することを回避できるので、上記縞模様の出現を回避でき、見栄えの良いカラー画像を表示することができる。また、第３及び第４実施形態に係るカラー画像表示装置によれば、切り欠き部を不規則的に設けているので、例えば遮光部をなすブラックマトリックスの形状を不規則にすることができ、縞模様などが見えてしまうことを、さらに高度に回避することができる。
【００５９】
（電子機器）
次に上記実施形態のカラー画像表示装置を構成要素とする電子機器について説明する。
図９（ａ）は、携帯電話の一例を示した斜視図である。図９（ａ）において、符号６００は携帯電話本体を示し、符号６０１は上記実施形態のカラー画像表示装置からなる表示部を示している。図９（ｂ）は、ワープロ、パソコンなどの携帯型情報処理装置の一例を示した斜視図である。図９（ｂ）において、符号７００は情報処理装置、符号７０１はキーボードなどの入力部、符号７０２は上記実施形態のカラー画像表示装置からなる表示部、符号７０３は情報処理装置本体を示している。図９（ｃ）は、腕時計型電子機器の一例を示した斜視図である。図９（ｃ）において、符号８００は時計本体を示し、符号８０１は上記実施形態のカラー画像表示装置からなる表示部を示している。
図９に示す電子機器は、上記実施形態のカラー画像表示装置を備えているので、色再現範囲が広く、色の不要な連結を防ぐことができ、見栄えのよい高画質なカラー画像を表示することができる。
【００６０】
なお、本発明の技術範囲は上記実施形態に限定されるものではなく、本発明の趣旨を逸脱しない範囲において種々の変更を加えることが可能であり、実施形態で挙げた具体的な材料や層構成などはほんの一例に過ぎず、適宜変更が可能である。
本発明に係るカラー画像表示装置は、液晶表示装置、有機ＥＬ表示装置、プラズマ表示装置、プロジェクタなどに適用することができる。
【図面の簡単な説明】
【００６１】
【図１】本発明の第１実施形態に係るカラー画像表示装置の主要部の平面図である。
【図２】本発明の第２実施形態に係るカラー画像表示装置の主要部の平面図である。
【図３】本発明の第３実施形態に係るカラー画像表示装置の主要部の平面図である。
【図４】本発明の第３実施形態に係るカラー画像表示装置の他の例の平面図である。
【図５】同上の実施形態における切り欠き部の他の例を示す平面図である。
【図６】本発明の第４実施形態に係るカラー画像表示装置の主要部の平面図である。
【図７】ストライプ型のカラー画像表示装置を示す平面図である。
【図８】デルタ型のカラー画像表示装置を示す平面図である。
【図９】本発明の実施形態に係る電子機器を示す斜視図である。
【符号の説明】
【００６２】
１０，２０，３０，４０，６０，７０…単位画素、１１，２１，３１，４１…第１サブ画素、１２ａ，３２ａ…第２サブ画素、１２ｂ，３２ｂ…第４サブ画素、１３，２３，３３，４３…第３サブ画素、２１，４２…第２サブ画素、２４，４４…第４サブ画素、５１，５２，６１，６２，６３，６４，７１，７２，７３，７４…サブ画素、１０１，１０２，１０３，１０４…カラー画像表示装置、Ｋ１ａ，Ｋ１ｂ，Ｋ２ａ，Ｋ２ｂ，Ｋ３ａ，Ｋ３ｂ，Ｋ４ａ，Ｋ４ｂ，Ｋ５ａ，Ｋ５ｂ，Ｋ６，Ｋ７ａ，Ｋ７ｂ，Ｋ８ａ，Ｋ８ｂ，Ｋ９ａ，Ｋ９ｂ，Ｋ１０ａ，Ｋ１０ｂ…切り欠き部
【図１】
2007114321.tif 000003
【図２】
2007114321.tif 000004
【図３】
2007114321.tif 000005
【図４】
2007114321.tif 000006
【図５】
2007114321.tif 000007
【図６】
2007114321.tif 000008
【図７】
2007114321.tif 000009
【図８】
2007114321.tif 000010
【図９】
2007114321.tif 000011